(57)【特許請求の範囲】
【請求項１】
質問器と応答器とからなり、前記質問器から前記応答器へ質問信号を送信し、この後、前記質問器が前記応答器から返信信号を受信する電磁誘導式自動認識装置において、
前記質問器は、
質問用アンテナコイルと共振用コンデンサとからなる共振回路と、
前記質問用アンテナコイルに接続された駆動回路と、
前記質問信号を表す制御信号を出力する制御回路と、
前記制御回路からの前記制御信号を受けて、その制御信号の内容を送信出力として前記駆動回路に付与する送信回路とを備え、
前記駆動回路は、前記付与された送信出力により、前記共振回路を交互に直列共振及び並列共振させて、前記質問用アンテナコイルから生ずる磁界を媒体として前記質問信号を前記応答器に送信させるようになっており、
前記応答器は、
応答用アンテナコイルと共振用コンデンサとからなる共振回路と、
前記応答用アンテナコイルが、前記共振用コンデンサとの並列共振のもと前記質問用アンテナコイルの磁界を媒体として前記質問信号を受信して発生した共振電圧をしきい値と比較してパルスデータを形成し、そのパルスデータに基づき前記質問信号の内容を解読して前記質問信号に対する応答データを形成し、この応答データに基づき前記応答用アンテナコイルを制御して、前記応答用アンテナコイルからその磁界を媒体として前記質問器に前記応答信号を返信させる制御回路とを有しており、
前記質問器は、前記質問用アンテナコイルの周囲温度を検出する温度センサを有し、
前記質問器の制御回路は、前記温度センサが検出した温度に応じ、前記共振回路の交互共振時の直列共振の停止時間を前記検出した温度と逆比例するように設定することを特徴とした電磁誘導式自動認識装置。
【発明の詳細な説明】
【０００１】
【発明の属する技術分野】
本発明は、非接触で、質問器と、車両等の移動体に取り付けられた応答器との間にて、磁界を媒体として、データの通信を行うようにした電磁誘導式自動認識装置に関するものである。
【０００２】
【従来の技術】
従来、例えば、車両用電磁誘導式自動認識装置としては、図１０にて示すものがある。この自動認識装置は、質問器１０と、応答器２０とにより構成されている。
質問器１０は、送受信用アンテナコイル１１と、このアンテナコイル１１とともに共振回路を構成する共振用コンデンサ１２と、制御回路１３とを備えている。
【０００３】
制御回路１３は、ハイレベルにて制御信号Ａ（図１２参照）を送信回路１４に出力する。この制御信号Ａは、質問器１０から応答器２０への通信に必要な電力を供給するための一定のチャージ期間（図１２参照）の間の信号に対応する。
また、制御回路１３は、質問信号を表す制御信号Ａ１を送信回路１４に出力する。この制御信号Ａ１は、チャージ期間の終了後の質問信号送信期間（図１２参照）の間の信号に対応するもので、当該制御信号Ａ１は、質問信号の内容に従って、ハイレベル或いはローレベルとなる。
【０００４】
ここで、質問信号の１ビットはハイレベル期間とローレベル期間とにより構成され、データ“１”とデータ“０”は、ハイレベル期間とローレベル期間とを変えることによってＰＷＭ符号化される。
また、制御回路１３は、ローレベルにて制御信号Ａ２（図１２参照）を送信回路１４に出力する。この制御信号Ａ２は、質問信号送信期間後の返信信号受信期間の間の信号に対応する。
【０００５】
質問器１０は、制御回路１３に接続した送信回路１４と、この送信回路１４とアンテナコイル１１との間に接続した駆動回路１５と、アンテナコイル１１及びコンデンサ１２間の共通端子ａと制御回路１３との間に接続した復調回路１６とを備えている。
ここで、駆動回路１５はＰチャネル型及びＮチャネル型の両電界効果トランジスタ５ａ、５ｂ（以下、ＦＥＴ５ａ、ＦＥＴ５ｂという）をハーフブリッジ構成に接続したものである。
【０００６】
送信回路１４は、制御回路１３から制御信号Ａを受けて、搬送波周波数ｆ（Ｈｚ）にて振幅Ｖｃ（Ｖ）を有するクロックを送信出力Ｂ（図１２参照）として駆動回路１５に付与する。
また、送信回路１４は、制御信号Ａ１を受けて、この制御信号Ａ１の内容を送信出力Ｂ１（図１２参照）として駆動回路１５に付与し、制御回路１３から制御信号Ａ２を受けて、電源電圧Ｖｃに相当するハイレベルにて送信出力Ｂ２（図１２参照）を駆動回路１５に出力する。
【０００７】
駆動回路１５では、送信回路１４からの送信出力Ｂのレベルが０（Ｖ）のとき、ＦＥＴ５ａがオンし、一方ＦＥＴ５ｂはオフする。送信出力ＢのレベルがＶｃ（Ｖ）のとき、ＦＥＴ５ｂがオンし、一方ＦＥＴ５ａがオフする。
従って、両ＦＥＴ５ａ、５ｂは、送信回路１４からの送信出力Ｂのレベル変化に応答して交互にオン、オフする。
【０００８】
ここで、アンテナコイル１１のインダクタンスＬ、共振用コンデンサ１２の静電容量Ｃは、次の数１の式が成立するように調整されている。
【０００９】
【数１】
ｆ＝（１／２π）（ＬＣ）-1/2
このため、アンテナコイル１１とコンデンサ１２とは、両ＦＥＴ５ａ、５ｂが交互に周波数ｆにてオン、オフすることで、周波数ｆにて直列共振する。このとき、アンテナコイル１１に流れる共振電流によってこのアンテナコイル１１に交流の誘導電圧Ｃ（図１２参照）を発生させる。
【００１０】
また、駆動回路１５は、送信回路１４から送信出力Ｂ１を受けて、両ＦＥＴ５ａ、５ｂを交互にオンオフして、アンテナコイル１１の一端ｂの接地及びその解除の繰り返しのもと、アンテナコイル１１とコンデンサ１２との共振回路を交互に直列共振及び並列共振させる。これにより、アンテナコイル１１は誘導電圧Ｃ１（図１２参照）を発生する。なお、制御信号Ａ１がローレベルのとき、アンテナコイル１１とコンデンサ１２との共振回路は直列共振を停止する。
【００１１】
また、駆動回路１５は、送信回路１４から送信出力Ｂ２を受けて、ＦＥＴ５ｂのみをオンすることで、アンテナコイル１１の一端ｂを接地して上記直列共振を停止するとともにアンテナコイル１１とコンデンサ１２を並列共振させる。このとき、アンテナコイル１１は応答器２０からの返信信号を受信する。復調回路１６は、アンテナコイル１１の受信した返信信号を、増幅して復調する。これにより、制御回路１３は、復調回路１６からの復調信号に基づき質問信号の内容に一致するか否かにつき確認する。
【００１２】
一方、応答器２０は、アンテナコイル１１との間の応答用アンテナコイル２１と、このアンテナコイル２１と共に共振回路を構成する共振用コンデンサ２１ａと、アンテナコイル２１とコンデンサ２１ａとの共通端子に接続した電源回路２２と、アンテナコイル２１の両端子間に接続した制御回路２３と、この制御回路２３に接続した記憶回路２４とを備えている。
【００１３】
アンテナコイル２１は、コンデンサ２１ａとの並列共振のもと、質問器１０のアンテナコイル１１から交流磁界を媒体として各誘導電圧Ｃ及びＣ１を受信してそれぞれ応答器側給電誘導電圧Ｍ及び応答器側質問誘導電圧Ｍ１を発生する（図１２参照）。ここで、アンテナコイル２１及びコンデンサ２１ａの共振周波数は、アンテナコイル１１からの交流磁界による共振周波数ｆに調整されている。
【００１４】
電源回路２２は、アンテナコイル２１からの給電誘導電圧を整流しこの整流電圧を動作用電圧として制御回路２３及び記憶回路２４に付与する。これにより、制御回路２３及び記憶回路２４は動作状態におかれる。
制御回路２３は、図１１にて示すごとく、比較器２３ａを備えており、この比較器２３ａは、アンテナコイル２１とコンデンサ２１ａとの共通端子に生ずる並列共振電圧を、直流電源２３ｂからの基準電圧と比較する。そして、比較器２３ａの出力がハイレベルのとき、しきい値設定回路２３ｃはしきい値Ｔを設定する。
【００１５】
パルスデータ形成回路２３ｄは、アンテナコイル２１とコンデンサ２１ａとの共通端子に生ずる並列共振電圧を、しきい値設定回路２３ｃの設定しきい値Ｔと比較して、パルスデータを形成してデコータ回路２３ｅに出力する。
このデコータ回路２３ｅは、パルスデータ形成回路２３ｄからのパルスデータに基づき質問信号の内容を解読して解読データとして記憶回路２４に出力する。
【００１６】
そして、デコータ回路２３ｅは、記憶回路２４内に予め記憶してある質問器１０の質問信号の内容を読み出して、この読み出しデータを、これに基づきアンテナコイル２１とコンデンサ２１ａを直列共振させるように駆動回路２３ｆに出力する。なお、デコータ回路２３ｅは、チャージ期間及び質問信号送信期間において、アンテナコイル２１とコンデンサ２１ａを並列共振させるデータを、記憶回路２４から読み出して駆動回路２３ｆに出力する。
【００１７】
駆動回路２３ｆは、駆動回路１５と同様の構成を有するもので、この駆動回路２３ｆは、ＦＥＴ５ａ、５ｂにそれぞれ対応するＦＥＴ２３ｇ、２３ｈを有する。そして、この駆動回路２３ｆは、制御回路２３の出力に基づき、両ＦＥＴ２３ｇ、２３ｈを、アンテナコイル２１及びコンデンサ２１ａを並列共振或いは直列共振させるようにオンオフする。
【００１８】
次に、質問器１０と応答器２０との間の通信作動につき図１２に基づいて説明する。
図１２は、質問器１０が応答器２０へ電力を供給するチャージ期間、質問器１０が応答器２０へ質問信号を送信する質問信号送信期間、及び質問器１０が応答器２０から返信信号を受信する返信信号受信期間の三つの期間の時分割動作により、質問器１０と応答器２０との間の通信を行うことを示す。
【００１９】
この時分割動作において、チャージ期間中、質問器１０のアンテナコイル１１は、共振用コンデンサ１２と直列共振する。これに伴い、アンテナコイル１１は交流磁界を発生し、この交流磁界を媒体として誘導電圧Ｃを送信する。
一方、応答器２０のアンテナコイル２１は、コンデンサ２１ａとの並列共振のもと、アンテナコイル１１からの交流磁界を媒体として誘導電圧Ｃを受信して給電誘導電圧を発生する。すると、電源回路２２は、アンテナコイル２１からの給電誘導電圧を整流し電力として蓄えるとともに制御回路２３及び記憶回路２４に給電する。
【００２０】
次の質問信号送信期間中には、質問器１０では、アンテナコイル１１が、制御回路１３による制御のもと駆動回路１５により駆動されて、コンデンサ１２と共に直列共振したり、或いは、当該直列共振を停止してコンデンサ１２と並列共振し、また、これら直列共振及び並列共振させる時間を変えることでＰＷＭ符号化したＡＭ変調を交流磁界にかけて、この交流磁界を媒体として、応答器２０に対し、命令、アドレス、データを表す質問信号を誘導電圧Ｃ１でもって送信する。
【００２１】
一方、応答器２０では、アンテナコイル２１が、コンデンサ２１ａとの共振のもと、アンテナコイル１１から交流磁界を媒体として誘導電圧Ｃ１を受信して質問誘導電圧Ｍ１を発生し、制御回路２３が、この質問誘導電圧Ｍ１に基づき質問信号の内容（命令、アドレス、データ）を解読データ（図１２にて符号Ｅ１参照）として記憶回路２４に出力する。
【００２２】
その後の返信信号受信期間中には、応答器２０のデコーダ回路２３ｅがその解読データに対応するデータを記憶回路２４から読み出して駆動回路２３ｆに出力する。これに伴う駆動回路２３ｆのＦＥＴ２３ｇ、２３ｈのオンオフのもと、アンテナコイル２１が、コンデンサ２１ａとの直列共振のもと、上記記憶回路２４の出力データを交流磁界を媒体として質問器１０に返信する。
【００２３】
この場合、例えば、質問信号による命令がデータ読み取りの場合、応答器２０は、記憶回路２４内の指定アドレスの記憶データを返信信号としてアンテナコイル２１により返信する。
また、質問信号がデータ書き込み信号である場合、応答器２０は、記憶回路２４の指定アドレスへのデータ書き込みが正常に完了したことを示すデータを返信信号としてアンテナコイル２１により返信する。
【００２４】
質問器１０のアンテナコイル１１は、共振コンデンサ１２との並列共振のもと、アンテナコイル２１からの返信信号を受信し、復調回路１６が当該返信信号を復調する。質問信号による命令が上述のごとくデータ読み取りの場合、制御回路１３は、復調回路１６による復調データを照合し、応答器２０を識別する。また、データ書き込みの場合、制御回路１３は、復調回路１６による復調データを照合し、応答器２０を登録できたかにつき確認する。
【００２５】
【発明が解決しようとする課題】
ところで、上記自動認識装置では、その質問信号送信期間において、アンテナコイル１１とコンデンサ１２の直列共振を停止して並列共振に切り替えるとき、アンテナコイル１１とコンデンサ１２との共通端子ａに生じている共振電圧（即ち、共振エネルギー）は、アンテナコイル１１の抵抗分により消費されて徐々に減少する。このため、共振電圧に残留振動が生じる。
【００２６】
また、応答器２０のアンテナコイル２１の誘導電圧Ｍ（アンテナコイル２１の受信交流磁界強度に対応する）は、質問器１０と応答器２０との間の距離が短い程高くなる。なお、図１２にて誘導電圧Ｍａは誘導電圧Ｍｂより高い。
このため、応答器２０の受信電圧の減少は、直列共振の残留振動に起因して、質問器１０と応答器２０との間の距離が短い程遅くなる。
【００２７】
従って、質問器１０と応答器２０との間の距離が短い程、応答器２０のアンテナコイル２１の誘導電圧Ｍ１がしきい値Ｔ（図１２参照）まで低下するに要する時間が遅れる。よって、応答器２０の制御回路２３で形成される解読データ即ちパルスデータのパルス幅（誘導電圧Ｍ１がしきい値Ｔ以下となる幅）が、質問器１０と応答器２０との間の距離が短いほど狭くなる（図１２にて各符号Ｅａ、Ｅｂ参照）。なお、図１２にてパルス幅Ｅａはパルス幅Ｅｂより狭い。
【００２８】
換言すれば、質問器１０と応答器２０との間の距離が短い程、制御回路１３の制御信号Ａ１即ち質問信号の波形が、応答器２０の解読データのパルス波形において崩れる。このことは、応答器２０が質問器１０の質問信号を正確には解読できないという不具合が生じることを意味する。
また、質問器のアンテナコイル１１の抵抗分がその周囲温度の低下に伴い減少すると、アンテナコイル１１のＱＬは次の数２の式に従い大きくなり、直列共振時のアンテナコイル１１の共通端子ａに生じる共振電圧ＶＬは数３の式に従い増加する。
【００２９】
【数２】
0004019469.tif 000002
この数２の式で、Ｌは、アンテナコイル１１のインダクタンスを表す、また、Ｒは、アンテナコイル１１の抵抗分を表す。
【００３０】
【数３】
｜ＶＬ｜＝ＱＬ×｜Ｅ｜
この数３の式で、｜Ｅ｜は、直列共振の印加電圧を表す。
さらに、共振エネルギーは、直列共振を停止して並列共振に切り替えるとき、アンテナコイル１１の抵抗分によって消費されにくくなり、残留振動が長くなる。
【００３１】
よって、質問器１０の質問信号の送信にあたり、制御信号Ａ１が周囲温度によるアンテナコイル１１の抵抗分の変化により歪むから、質問信号の送信を精度よく行うことができない。
その結果、応答器２０が質問信号を正確に解読できないという不具合が生じる。
【００３２】
本発明は、以上のようなことに対処するため、質問器の質問信号の解読を応答器によって精度よく行うようにした電磁誘導式自動認識装置を提供することを目的とする。
また、本発明は、質問器の質問信号を外乱の影響を受けることなく、精度よく送信するようにした電磁誘導式自動認識装置を提供することを目的とする。
【００３５】
【課題を解決するための手段】
上記目的を達成するため、請求項１に記載の発明では、質問器は、質問用アンテナコイルの周囲温度を検出する温度センサを有し、質問器の制御回路は、温度センサが検出した温度に応じ、共振回路の交互共振時の直列共振の停止時間を検出した温度と逆比例するように設定する。
【００３６】
これにより、質問用アンテナコイルの周囲温度が変動しても、これに影響されることなく、質問器の質問信号を精度よく送信することができる。
【００３７】
これにより、種々の外乱の影響を受けることなく、質問器の質問信号を精度よく送信することができる。
【００３８】
【発明の実施の形態】
以下、本発明の各実施形態を図に基づいて説明する。
（第１実施形態）
図１は、本発明に係る電磁誘導式自動認識装置の第１実施形態の要部を示している。この第１実施形態では、図１にて示すごとく、応答器２０Ａが、図１０にて示す応答器２０に代えて採用されている。
【００３９】
応答器２０Ａは、上記応答器２０において、制御回路２３に代えて制御回路２３Ａを採用し、かつ、レベル検波回路２５を付加した構成となっている。
レベル検波回路２５は、アンテナコイル２１とコンデンサ２１ａとの共通端子に生ずる交流誘導電圧（共振電圧）の振幅を包絡線検波するとともにこの包絡線検波を直流レベルに変換して制御回路２３Ａの比較器２３ａに出力する。この場合、当該直流レベルは、アンテナコイル２１とコンデンサ２１ａとの共通端子に生ずる交流誘導電圧に比例する。
【００４０】
制御回路２３Ａは、上記制御回路２３において、しきい値設定回路２３ｃに代えて、しきい値設定回路２３ｉを採用した構成となっている。
この制御回路２３Ａでは、比較器２３ａは、図１１の場合とは異なり、レベル検波回路２５の出力レベルを直流電源２３ｂの基準電圧と比較する。そして、この比較器２３ａの比較出力は、レベル検波回路２５の出力レベルが直流電源２３ｂの基準電圧より高いときハイレベルとなり、レベル検波回路２５の出力レベルが直流電源２３ｂの基準電圧より低いときローレベルとなる。
【００４１】
しきい値設定回路２３ｉは、比較器２３ａからのハイレベルの比較出力に基づき、しきい値Ｔ２を設定しきい値として出力し、比較器２３ａからのローレベルの比較出力に基づき、しきい値Ｔ１を設定しきい値として出力する。ここで、しきい値Ｔ２は、しきい値Ｔ１よりも大きい（図３参照）。
パルスデータ形成回路２３ｄは、図１１に示す場合と異なり、アンテナコイル２１とコンデンサ２１ａとの共通端子に生ずる誘導電圧Ｍ１をしきい値設定回路２３ｉからの設定しきい値Ｔ１又はＴ２と比較にして、この比較結果に基づきパルスデータ（質問信号の内容を表す）を形成して記憶回路２４に出力する。
【００４２】
このように構成した本第１実施形態では、質問信号送信期間において、応答器２０のアンテナコイル２１が、質問器１０から交流磁界を媒体として送信される誘導電圧Ｃ１を受信すると、このアンテナコイル２１とコンデンサ２１ａとの共通端子に生ずる誘導電圧Ｍ１に基づきレベル検波回路２５から直流レベルが出力される。
【００４３】
すると、制御回路２３Ａでは、比較器２３ａが、レベル検波回路２５の出力レベルを直流電源２３ｂの基準電圧と比較し、しきい値設定回路２３ｉが、比較器２３ａの比較出力に基づき、上述のごとく、しきい値Ｔ１又はＴ２を設定して出力する。
これに伴い、パルスデータ形成回路２３ｄが、しきい値設定回路２３ｉの設定しきい値及びアンテナコイル２１とコンデンサ２１ａとの共通端子からの誘導電圧Ｍ１に基づきパルスデータＥ１（図３参照）を形成する。
【００４４】
この場合、上述のごとく、レベル検波回路２５からの直流レベルは、アンテナコイル２１とコンデンサ２１ａとの共通端子に生ずる誘導電圧Ｍ１に比例するので、誘導電圧Ｍ１が高いときにはしきい値Ｔ２が設定され、逆に、誘導電圧Ｍ１が低いときにはしきい値Ｔ１が設定される。
その結果、誘導電圧Ｍ１がしきい値まで低下するに要する時間が、誘導電圧Ｍ１の高低とはかかわりなく、ほぼ一定となる。
【００４５】
よって、パルスデータＥ１のパルス幅は、質問信号のパルス幅と同じになる（図３にて符号Ｅａ参照）。このことは、誘導電圧Ｍ１の高低とはかかわりなく、質問信号の内容を応答器２０Ａにおいて正しく解読できることを意味する。その他の構成、作動及び作用効果は、図１１乃至図１２の場合と同様である。
（第２実施形態）
図４乃至図６は、本発明の第２実施形態の要部を示している。
【００４６】
この第２実施形態では、図４にて示すごとく、質問器１０Ａが、図１０にて示す質問器１０に代えて採用されている。
質問器１０Ａは、上記質問器１０において、レベル検波回路１７を付加した構成となっている。
レベル検波回路１７は、アンテナコイル１１とコンデンサ１２との共通端子ａに生ずる直列共振電圧の振幅を包絡線検波するとともにこの包絡線検波を直流レベルに変換して制御回路１３に出力する。この場合、当該直流レベルは、アンテナコイル１１とコンデンサ１２との共通端子ａに生ずる直列共振電圧に比例する。
【００４７】
制御回路１３は、制御信号Ａ１のローレベルの幅を、アンテナコイル１１とコンデンサ１２の直列共振停止時間特性データに基づき調整し、この調整結果に基づき制御信号Ａ１を送信回路１４に出力する。
ここで、上記直列共振停止時間特性データは次のように設定されている。
アンテナコイル１１とコンデンサ１２との共通端子ａに生ずる直列共振電圧が高い程しきい値Ｔ（図１２参照）まで低下するに要する時間は長い。逆に、当該直列共振電圧が低い程上記しきい値Ｔまで低下するに要する時間は短い。
【００４８】
従って、共通端子ａに生ずる直列共振電圧と逆比例するように、アンテナコイル１１とコンデンサ１２の直列共振の停止時間Ｔｏｆｆ（制御信号Ａ１のローレベルの幅に対応する）を設定しておけば、当該直列共振電圧のしきい値Ｔまで低下する時間は、この直列共振電圧の高低とは関係なく、ほぼ一定となる。その結果、応答器２０の制御回路２３で形成されるパルスデータＥ１の幅が質問信号の内容からずれることがない。
【００４９】
このような観点から、上記直列共振停止時間特性データは、図５にて示すように、上記停止時間Ｔｏｆｆを、共通端子ａに生ずる直列共振電圧と逆比例する直線で特定することとした。従って、図１２にて示す制御信号Ａ１は、そのローレベルの幅にて、上記直列共振停止時間特性データに基づき、共通端子ａの直列共振電圧に応じて調整される（図６参照）。これにより、アンテナコイル１１とコンデンサ１２との共通端子に生ずる直列共振電圧が外乱により変動しても、質問器１０Ａからの送信質問信号は精度よく応答器２０により受信され得る。
【００５０】
よって、この質問信号は、応答器２０の制御回路２３において、質問器１０Ａと応答器２０との間の距離を一定とした場合には、しきい値Ｔとの関係でパルスデータＥ１として正しく形成される。従って、上記パルスデータが質問信号の内容に精度よく一致し得る。
（第３実施形態）
図７及び図８は本発明の第３実施形態を示している。
【００５１】
この第３実施形態では、図７にて示すごとく、質問器１０Ｂが、図１０にて示す質問器１０に代えて採用されている。
質問器１０Ｂは、上記質問器１０において、温度センサ１８を付加した構成となっている。温度センサ１８は、質問器１０Ｂのアンテナコイル１１の周囲温度を検出する。
【００５２】
制御回路１３は、制御信号Ａ１のローレベルの幅を、アンテナコイル１１とコンデンサ１２の直列共振停止時間特性データに基づき調整し、この調整結果に基づき制御信号Ａ１を送信回路１４に出力する。
ここで、上記直列共振停止時間特性データは次のように設定されている。
アンテナコイル１１の内部抵抗値は、このアンテナコイル１１の周囲温度にほぼ比例して変化する。このため、アンテナコイル１１とコンデンサ１２との共通端子ａに生ずる直列共振電圧が、アンテナコイル１１の内部抵抗値の変化に応じて変化する。
【００５３】
従って、アンテナコイル１１の周囲温度と逆比例するように、アンテナコイル１１とコンデンサ１２の直列共振の停止時間Ｔｏｆｆを設定しておけば、アンテナコイル１１とコンデンサ１２の直列共振電圧のしきい値Ｔまで低下する時間は、周囲温度の高低とは関係なく、ほぼ一定となる。その結果、応答器２０の制御回路２３で形成されるパルスデータＥ１の幅が質問信号の内容からずれることがない。
【００５４】
このような観点から、上記直列共振停止時間特性データは、図８にて示すように、上記停止時間Ｔｏｆｆを、周囲温度と逆比例する直線で特定することとした。
従って、図１２にて示す制御信号Ａ１は、そのローレベルの幅にて、上記直列共振停止時間特性データに基づき、温度センサ１８の検出温度に応じて調整される。
【００５５】
よって、このような制御信号Ａ１の調整のもと、質問器１０Ｂから質問信号が送信されると、この質問信号は、質問器１０Ｂと応答器２０との間が一定であれば、応答器２０の制御回路２３において、しきい値Ｔとの関係でパルスデータＥ１として正しくく形成される。
従って、上記パルスデータが質問信号の内容に精度よく一致し得る。
（第４実施形態）
図９は本発明の第４実施形態を示している。
【００５６】
この第４実施形態では、図１２にて述べた制御回路１３の制御内容が、図９にて示す制御フローチャートに従い、制御回路１３に設けたマイクロコンピュータにより実行される。
即ち、図１０乃至図１２にて説明したチャージ期間の処理がステップ３０にてなされると、ステップ４０において、質問器１０から応答器２０への質問信号の送信処理がなされる。
【００５７】
そして、応答器２０が質問信号の解読処理のもと返信信号を返信すると、質問器１０におけるこの返信信号の受信処理がステップ５０にてなされる。そして、応答器２０の返信信号の内容が質問信号の内容と一致しなければ、ステップ６０におけるＮＯとの判定がなされ、ステップ７０にて、アンテナコイル１１とコンデンサ１２との直列共振の停止時間Ｔｏｆｆ、即ち、図１２にて示す制御信号Ａ１のローレベルの幅が、ステップ６０におけるＹＥＳとの判定をもたらすように変更処理される。
【００５８】
その後、ステップ６０におけるＹＥＳとの判定後、質問器１０から質問信号が送信されると、この質問信号は、質問器１０と応答器２０との間が一定であれば、応答器２０の制御回路２３において、しきい値Ｔとの関係でパルスデータＥ１として正しく形成される。
従って、上記パルスデータが質問信号の内容に精度よく一致し得る。
【００５９】
なお、本発明の実施にあたり、上記第２乃至第４の実施形態の構成のいずれかに上記第１実施形態の構成を付加すれば、上記第１実施形態と、上記第２乃至第４の実施形態のいずれかとの相乗効果が達成され得る。
【図面の簡単な説明】
【図１】本発明に係る車両用自動認識装置の第１実施形態を示す要部ブロック図である。
【図２】図１の制御回路の詳細回路図である。
【図３】図１の主要構成素子の入出力波形を示すタイミングチャートである。
【図４】本発明の第２実施形態を示す要部ブロック図である。
【図５】図４のアンテナコイルとコンデンサとの直列共振の停止時間とその直列共振電圧との関係を示すグラフである。
【図６】図４のアンテナコイルの出力波形を示すタイミングチャートである。
【図７】本発明の第３実施形態を示す要部ブロック図である。
【図８】図７のアンテナコイルとコンデンサとの直列共振の停止時とアンテナコイルの周囲温度との関係を示すグラフである。
【図９】本発明の第４実施形態を示すフローチャートである。
【図１０】従来の自動認識装置のブロック図である。
【図１１】図１０の応答器の制御回路の詳細回路図である。
【図１２】図１０の主要構成素子の入出力波形を示すタイミングチャートである。
【符号の説明】
１０乃至１０Ｂ…質問器、１７、２５…レベル検出回路、
１８…温度センサ、２０、２０Ａ…応答器、２３、２３Ａ…制御回路。
【図１】
0004019469.tif 000003
【図２】
0004019469.tif 000004
【図３】
0004019469.tif 000005
【図４】
0004019469.tif 000006
【図５】
0004019469.tif 000007
【図６】
0004019469.tif 000008
【図７】
0004019469.tif 000009
【図８】
0004019469.tif 000010
【図９】
0004019469.tif 000011
【図１０】
0004019469.tif 000012
【図１１】
0004019469.tif 000013
【図１２】
0004019469.tif 000014